(57)【要約】【課題】ＲＦＩＤアンテナ１５を取り付けるプラテンホルダー３１の機械的強度を維持したまま、プラテンローラー１７側にＲＦＩＤアンテナ１５を配置可能なＲＦＩＤ用紙用プリンターのアンテナ取付け装置を提供すること。【解決手段】プラテンホルダー３１の移送路３側に向かってアンテナ収容用溝部３２を形成すること、およびアンテナ収容用溝部３２内にＲＦＩＤアンテナ１５を配置することに着目したもので、印字部６におけるプラテンローラー１７、およびデータ読取り書き込み部５におけるＲＦＩＤアンテナ１５を取り付けるプラテンホルダー３１を設け、プラテンホルダー３１は、所定の厚さを有する金属製材料からこれを構成するとともに、プラテンホルダー３１の表面において移送路３に対向してアンテナ収容用溝部３２を形成し、アンテナ収容用溝部３２内にＲＦＩＤアンテナ１５を配置したことを特徴とする。【選択図】図１
2007260998.tif 000002
【特許請求の範囲】
【請求項１】
アンテナおよびＩＣチップを有するＲＦＩＤ用紙を所定の移送路上に移送するとともに所定の情報の印字を行う印字部と、
このＲＦＩＤ用紙に対して、データの読取りあるいは書込みを行うデータ読取り書込み部と、を有するＲＦＩＤ用紙用プリンターのアンテナ取付け装置であって、
前記印字部におけるプラテンローラー、および前記データ読取り書き込み部におけるＲＦＩＤアンテナを取り付けるプラテンホルダーを設け、
前記プラテンホルダーは、所定の厚さを有する金属製材料からこれを構成するとともに、
前記プラテンホルダーの表面において前記移送路に対向してアンテナ収容用溝部を形成し、
このアンテナ収容用溝部内に前記ＲＦＩＤアンテナを配置したことを特徴とするＲＦＩＤ用紙用プリンターのアンテナ取付け装置。
【請求項２】
前記アンテナ収容用溝部は、前記移送路における前記ＲＦＩＤ用紙の移送方向に沿って前記プラテンホルダーの長さ方向全面にわたってこれを形成してあることを特徴とする請求項１記載のＲＦＩＤ用紙用プリンターのアンテナ取付け装置。
【請求項３】
前記アンテナ収容用溝部は、前記移送路における前記ＲＦＩＤ用紙の移送方向に沿って前記プラテンホルダーの長さ方向の一部においてこれを形成してあることを特徴とする請求項１記載のＲＦＩＤ用紙用プリンターのアンテナ取付け装置。
【請求項４】
前記ＲＦＩＤアンテナは、前記アンテナ収容用溝部において前記移送路に近接してこれを配置することを特徴とする請求項１記載のＲＦＩＤ用紙用プリンターのアンテナ取付け装置。
【請求項５】
前記ＲＦＩＤアンテナは、前記プラテンローラーの近傍にこれを配置することを特徴とする請求項１記載のＲＦＩＤ用紙用プリンターのアンテナ取付け装置。
【請求項６】
前記ＲＦＩＤアンテナは、平板状のパッチアンテナであることを特徴とする請求項１記載のＲＦＩＤ用紙用プリンターのアンテナ取付け装置。
【発明の詳細な説明】
【技術分野】
【０００１】
本発明はＲＦＩＤ用紙用プリンターのアンテナ取付け装置にかかるもので、とくにラベルあるいはタグ（下げ札）などの形態としたＲＦＩＤ用紙との間のデータ通信および印字を行うためのＲＦＩＤ用紙用プリンターのアンテナ取付け装置に関するものである。
【背景技術】
【０００２】
従来から、ＲＦＩＤ（Ｒａｄｉｏ  Ｆｒｅｑｕｅｎｃｙ  Ｉｄｅｎｔｉｆｉｃａｔｉｏｎ）技術による、非接触で情報の読取りや書き込みを行うための各種のＲＦＩＤ用紙をプリンターに装填してその表面に所定の情報を印字することが行われている。
従来のＲＦＩＤ用紙用のプリンター（たとえばサーマルプリンター１）について、図５および図６にもとづき概説する。
図５は、サーマルプリンター１の一部断面要部概略側面図、図６は、サーマルプリンター１の要部概略平面図であって、サーマルプリンター１は、ＲＦＩＤ用紙連続体２の移送路３と、用紙センサー４と、データ読取り書込み部５と、印字部６と、制御部７と、を有する。
【０００３】
図５に示すように、ＲＦＩＤ用紙連続体２は、帯状の台紙８と、台紙８上に等間隔に仮着した複数枚のＲＦＩＤラベル９（ＲＦＩＤ用紙）と、を有する。
図６には、移送路３上のＲＦＩＤラベル９を仮想線で描いてあり、図示のように、ＲＦＩＤラベル９は、台紙８に仮着可能なラベル本体１０と、ラベル本体１０の裏面に形成したアンテナ１１およびＩＣチップ１２と、を有し、所定の保持部（図示せず）から台紙８とともに移送路３上にこれを移送する。
このＲＦＩＤラベル９は、データ読取り書込み部５からの電波の発信を受けて、ＩＣチップ１２からのデータの読取りおよびＩＣチップ１２へのデータの書込みが可能である。
【０００４】
移送路３には、補助移送ローラー１３およびプラテンホルダー１４を設けて、用紙センサー４、データ読取り書込み部５および印字部６に適正にＲＦＩＤ用紙連続体２が移送されるようにしてある。
【０００５】
用紙センサー４は、ＲＦＩＤラベル９の間の間隙を検知して、あるいは台紙８にあらかじめ印刷した被検出マーク（図示せず）を検知して、ＲＦＩＤ用紙連続体２の位置検出を行う。
【０００６】
データ読取り書込み部５は、用紙センサー４と印字部６との間に位置して、ＲＦＩＤ用紙連続体２のＲＦＩＤラベル９からのデータの読取りあるいはＲＦＩＤラベル９へのデータの書込み、すなわち無線による非接触のデータ伝送を行うもので、ＲＦＩＤアンテナ１５を有し、制御部７からの制御信号により、当該データの読取りおよび書込みを無線により非接触で双方向に行うことができる。
ＲＦＩＤアンテナ１５は、たとえば平板状のパッチアンテナであって、中央の誘電体基盤１５Ａと、誘電体基盤１５Ａの発信側（表面側）のアンテナ金属板１５Ｂと、裏面側の金属製グラウンド板１５Ｃと、を有し、ＲＦＩＤ用紙連続体２のＲＦＩＤラベル９に対向してこれを設け、ＲＦＩＤアンテナ１５からＲＦＩＤラベル９に向けて通信用の電波を発信可能としてある。
【０００７】
印字部６は、サーマルヘッド１６およびプラテンローラー１７を有し、制御部７からの制御信号により必要に応じてＲＦＩＤ用紙連続体２のＲＦＩＤラベル９の表面上に所定の情報を印字する。この印字する情報としては、ＲＦＩＤラベル９の管理情報やその他必要な表示情報、あるいはＩＣチップ１２内のデータに対応した情報など、任意の情報である。
【０００８】
前記プラテンホルダー１４は、金属製たとえば鉄製の四辺からなる枠部材であって、その中央部に貫通収容孔１８を形成し、この貫通収容孔１８内に合成樹脂製のアンテナカバー１９によりＲＦＩＤアンテナ１５を固定して取り付けている。
プラテンローラー１７は、プラテンホルダー１４の左右一対の先端ヨーク部２０に回転可能にこれを配置している。
すなわち、プラテンホルダー１４は、移送路３の上流側にＲＦＩＤアンテナ１５を取り付けるとともに、移送路３の下流側にプラテンローラー１７を回転可能に取り付けている。
【０００９】
また、台紙８からＲＦＩＤラベル９を剥離するための剥離部（剥離板、図示せず）を必要に応じて設けることにより、台紙８のみを転向させ、台紙８からＲＦＩＤラベル９を剥離可能とすることができる。
【００１０】
制御部７は、上述の用紙センサー４、ＲＦＩＤアンテナ１５、サーマルヘッド１６およびプラテンローラー１７を制御する。
【００１１】
こうした構成のサーマルプリンター１において、データ読取り書込み部５におけるＲＦＩＤアンテナ１５から、ＲＦＩＤラベル９内のアンテナ１１を介してＩＣチップ１２からデータを読み取り、あるいはＩＣチップ１２に必要なデータを書き込むことができるとともに、これらのデータに対応する所定のバーコード情報などを印字部６においてＲＦＩＤラベル９の表面に印字可能である。
【００１２】
しかしながら、ＲＦＩＤ用紙連続体２については、用紙センサー４により位置を検出したそれぞれのＲＦＩＤラベル９にデータ読取り書込み部５によりデータの授受を行うとともに、このデータないしＲＦＩＤラベル９に対応した内容の印字を印字部６によりＲＦＩＤラベル９に行うため、データ読取り書込み部５および印字部６においてそれぞれ同じＲＦＩＤラベル９が対応位置している必要がある。
すなわち、データ読取り書込み部５においてデータ通信するＲＦＩＤラベル９と、印字部６においてデータ印字するＲＦＩＤラベル９とは同一であることが望ましく、当該ＲＦＩＤラベル９と印字部６との間に別のＲＦＩＤラベル９が位置していることは望ましくない。
したがって、とくにサイズの小さなＲＦＩＤラベル９に対応するためには、データ読取り書込み部５のＲＦＩＤアンテナ１５をプラテンローラー１７の近傍に配置する必要がある。
【００１３】
一方、データ読取り書込み部５のＲＦＩＤアンテナ１５および印字部６のプラテンローラー１７をともにプラテンホルダー１４に設けることにより、ＲＦＩＤアンテナ１５をプラテンローラー１７の近傍に配置しやすくなる。
しかしながら、印字部６においてはサーマルヘッド１６をプラテンローラー１７に所定の圧力で押圧する必要があるため、プラテンホルダー１４部分に機械的強度が必要とされるにもかかわらず、プラテンホルダー１４はリング状の部材であってに貫通収容孔１８が空洞として貫通して空いているために、その機械的強度を維持することが困難であるという問題がある。
【００１４】
なお、このプラテンホルダー１４のリング枠形状の金属部材を太くすると、すなわち、移送方向における貫通収容孔１８の大きさを小さくすると、プラテンローラー１７の近傍にＲＦＩＤアンテナ１５を配置することが困難になってプラテンローラー１７からＲＦＩＤアンテナ１５が遠ざかる結果、小さなピッチのＲＦＩＤラベル９の移送および印字にともなうデータ通信が困難になるという問題がある。
【００１５】
さらに、プラテンローラー１７およびサーマルヘッド１６の近傍における金属製部品とくにプラテンホルダー１４とＲＦＩＤラベル９との間が近すぎると、すなわち、ＲＦＩＤラベル９への金属製部品の影響により、ＲＦＩＤアンテナ１５とＲＦＩＤラベル９との間のデータ受発信が不具合を起こす場合があるという問題がある。
【００１６】
【特許文献１】特開２００５−３１６７６７号公報
【発明の開示】
【発明が解決しようとする課題】
【００１７】
本発明は以上のような諸問題にかんがみなされたもので、プラテンローラーの近傍にＲＦＩＤアンテナを配置しやすくしたＲＦＩＤ用紙用プリンターのアンテナ取付け装置を提供することを課題とする。
【００１８】
また本発明は、ＲＦＩＤアンテナを取り付けるプラテンホルダーの機械的強度を維持可能としたＲＦＩＤ用紙用プリンターのアンテナ取付け装置を提供することを課題とする。
【００１９】
また本発明は、ＲＦＩＤアンテナを取り付けるプラテンホルダーの機械的強度を維持したまま、プラテンローラー側にＲＦＩＤアンテナを配置可能なＲＦＩＤ用紙用プリンターのアンテナ取付け装置を提供することを課題とする。
【００２０】
また本発明は、ＲＦＩＤラベルなどＲＦＩＤ用紙への金属製部品の影響を極力低減可能としたＲＦＩＤ用紙用プリンターのアンテナ取付け装置を提供することを課題とする。
【課題を解決するための手段】
【００２１】
すなわち本発明は、プラテンホルダーの移送路側に向かってアンテナ収容用溝部を形成すること、およびこのアンテナ収容用溝部内にＲＦＩＤアンテナを配置することに着目したもので、アンテナおよびＩＣチップを有するＲＦＩＤ用紙を所定の移送路上に移送するとともに所定の情報の印字を行う印字部と、このＲＦＩＤ用紙に対して、データの読取りあるいは書込みを行うデータ読取り書込み部と、を有するＲＦＩＤ用紙用プリンターのアンテナ取付け装置であって、上記印字部におけるプラテンローラー、および上記データ読取り書き込み部におけるＲＦＩＤアンテナを取り付けるプラテンホルダーを設け、上記プラテンホルダーは、所定の厚さを有する金属製材料からこれを構成するとともに、上記プラテンホルダーの表面において上記移送路に対向してアンテナ収容用溝部を形成し、このアンテナ収容用溝部内に上記ＲＦＩＤアンテナを配置したことを特徴とするＲＦＩＤ用紙用プリンターのアンテナ取付け装置である。
【００２２】
上記アンテナ収容用溝部は、上記移送路における上記ＲＦＩＤ用紙の移送方向に沿って上記プラテンホルダーの長さ方向全面にわたってこれを形成してあることができる。
【００２３】
上記アンテナ収容用溝部は、上記移送路における上記ＲＦＩＤ用紙の移送方向に沿って上記プラテンホルダーの長さ方向の一部においてこれを形成してあることができる。
【００２４】
上記ＲＦＩＤアンテナは、上記アンテナ収容用溝部において上記移送路に近接してこれを配置することができる。
【００２５】
上記ＲＦＩＤアンテナは、上記プラテンローラーの近傍にこれを配置することができる。
【００２６】
上記ＲＦＩＤアンテナは、平板状のパッチアンテナであることができる。
このパッチアンテナは、金属に貼り付けてもその性能の低下の程度が小さく、プラテンホルダーに取り付けて、より有効にアンテナの機能を果たすことができる。
【発明の効果】
【００２７】
本発明によるＲＦＩＤ用紙用プリンターのアンテナ取付け装置においては、プラテンホルダーの移送路側に向かって形成したアンテナ収容用溝部内にＲＦＩＤアンテナを配置したので、すなわち、ＲＦＩＤアンテナを収容するための必要最小限の収容部の厚さを薄くするだけであるので、従来のようにプラテンホルダーに貫通収容孔などを形成することなく、プラテンホルダーの機械的強度を維持したままプラテンホルダーにＲＦＩＤアンテナを取り付け可能であり、プラテンローラーのできるだけ近傍にＲＦＩＤアンテナを配置するような構成を採用してデータ通信およびＲＦＩＤ用紙への印字を適正に実行可能とすることができる。
さらに、アンテナ収容用溝部の深さを適宜選択することにより、ＲＦＩＤラベルなどのＲＦＩＤ用紙をプラテンホルダーの金属部分からできるだけ遠ざけることができ、金属によるデータ通信への悪影響を低減可能である。
【発明を実施するための最良の形態】
【００２８】
本発明は、プラテンホルダーの移送路側に向かってアンテナ収容用溝部を形成し、このアンテナ収容用溝部にＲＦＩＤアンテナを収容配置することにしたので、プラテンホルダーがプラテンローラーを十分な強度で保持するとともに、ＲＦＩＤアンテナおよびプラテンローラーを必要な間隔で配置可能とし、かつＲＦＩＤアンテナとＲＦＩＤ用紙との間のデータ受発信について金属部品からの悪影響を受けないようにしたＲＦＩＤ用紙用プリンターのアンテナ取付け装置を実現した。
【実施例】
【００２９】
つぎに本発明の第１の実施例によるＲＦＩＤ用紙用プリンターのアンテナ取付け装置３０を図１および図２にもとづき説明する。ただし、図５および図６と同様の部分には同一符号を付し、その詳述はこれを省略する。
図１は、アンテナ取付け装置３０を装備した前記サーマルプリンター１の一部断面要部概略側面図、図２は、アンテナ取付け装置３０の要部概略平面図であって、このアンテナ取付け装置３０においては、従来からの前記プラテンホルダー１４（図５、図６）に代わる部材として、所定の厚さを有する金属製材料（たとえば鉄製材料）からプラテンホルダー３１を構成する。
このプラテンホルダー３１は、移送路３の移送方向に沿って所定の長さで延びている中実な部材であって、必要な機械的強度を維持している
【００３０】
このプラテンホルダー３１の表面に、移送路３に対向して所定深さのアンテナ収容用溝部３２を形成し、このアンテナ収容用溝部３２内に前記ＲＦＩＤアンテナ１５を配置している。
なお、アンテナ収容用溝部３２は、移送路３におけるＲＦＩＤラベル９の移送方向に沿ってプラテンホルダー３１の長さ方向全面にわたってこれを形成してある。すなわち、プラテンホルダー３１の左右幅方向（ＲＦＩＤラベル９の移送方向に直角な幅方向）に堤部３３を形成してあり、この左右一対の堤部３３の間にアンテナ収容用溝部３２を形成してある。
【００３１】
このアンテナ収容用溝部３２内において、ＲＦＩＤアンテナ１５の位置を適宜選択することにより、ＲＦＩＤアンテナ１５を移送路３に近接して、かつプラテンローラー１７の近傍にこれを配置することができる。
ＲＦＩＤアンテナ１５は、アンテナ収容用溝部３２内において移送路３から退避した位置にこれを配置しているとともに、前記アンテナカバー１９がＲＦＩＤアンテナ１５のわずかに表面を被覆し、これを保護かつ固定し、移送路３に対してＲＦＩＤアンテナ１５の表面をほぼ面一に位置させている。
【００３２】
こうした構成のＲＦＩＤ用紙用プリンターのアンテナ取付け装置３０において、プラテンホルダー３１には、従来のプラテンホルダー１４（図５、図６）のような貫通収容孔１８を貫通形成していないとともに、所定の厚さで、移送路３の移送方向に所定の長さで延びているので、プラテンローラー１７をサーマルヘッド１６からの押圧力に耐え得るだけの機械的強度をもって保持することができる。
【００３３】
さらに、アンテナ収容用溝部３２内において、ＲＦＩＤアンテナ１５をプラテンローラー１７に近接して設けることができるので、比較的小型のＲＦＩＤラベル９を装填した場合であっても、データ読取り書込み部５によるデータ通信処理ののち直ちに印字部６に同一のＲＦＩＤラベル９を配置することが可能となり、印字およびデータ通信を適正に実行可能となる。
とくに、プラテンローラー１７にＲＦＩＤアンテナ１５を近接して設けることができるので、サーマルプリンター１に小型のＲＦＩＤラベル９を装填しても印字およびデータ通信が可能である。
【００３４】
また、ＲＦＩＤアンテナ１５を移送路３に対向して設けるためのアンテナ収容用溝部３２の深さを適宜選択することにより、移送路３上のＲＦＩＤラベル９へのプラテンホルダー３１による金属の影響を極力低減可能である。
【００３５】
図３は、本発明の第２の実施例によるＲＦＩＤ用紙用プリンターのアンテナ取付け装置４０を装備した前記サーマルプリンター１の一部断面要部概略側面図、図４は、アンテナ取付け装置４０の要部概略平面図であって、アンテナ取付け装置４０においては、アンテナ取付け装置３０（図１、図２）と同様に、前記プラテンホルダー１４に代わる部材として、所定の厚さを有する金属製材料（鉄製材料）からプラテンホルダー４１を構成する。
【００３６】
ただし、プラテンホルダー４１に形成するアンテナ収容用溝部４２は、移送路３におけるＲＦＩＤラベル９の移送方向に沿ってプラテンホルダー４１の長さ方向の一部においてこれを形成してある。
すなわち、プラテンホルダー４１の四辺にそれぞれ堤部４３を形成してあり、これらの堤部４３の間にアンテナ収容用溝部４２を形成してある。
【００３７】
こうした構成のＲＦＩＤ用紙用プリンターのアンテナ取付け装置４０においても、アンテナ取付け装置３０（図１、図２）と同様に、プラテンホルダー４１の機械的強度を維持可能であるとともに、ＲＦＩＤラベル９とＲＦＩＤアンテナ１５との間のデータ通信を適正に行うことができ、また、比較的小型のＲＦＩＤラベル９を移送する場合であっても、プラテンローラー１７の近傍にＲＦＩＤアンテナ１５を配置することができる。
なお、プラテンホルダー４１は、その移送方向の上流側および下流側に所定厚さを残しているので、前述のアンテナ取付け装置３０におけるプラテンホルダー３１に比較してさらに機械的強度を向上させることができる。
【図面の簡単な説明】
【００３８】
【図１】本発明の第１の実施例によるＲＦＩＤ用紙用プリンターのアンテナ取付け装置３０を装備したサーマルプリンター１の一部断面要部概略側面図である。
【図２】同、アンテナ取付け装置３０の要部概略平面図である。
【図３】本発明の第２の実施例によるＲＦＩＤ用紙用プリンターのアンテナ取付け装置４０を装備したサーマルプリンター１の一部断面要部概略側面図である。
【図４】同、アンテナ取付け装置４０の要部概略平面図である。
【図５】サーマルプリンター１の一部断面要部概略側面図である。
【図６】同、サーマルプリンター１の要部概略平面図である。
【符号の説明】
【００３９】
１  サーマルプリンター（ＲＦＩＤ用紙用プリンター）
２  ＲＦＩＤ用紙連続体
３  移送路
４  用紙センサー
５  データ読取り書込み部
６  印字部
７  制御部
８  台紙
９  ＲＦＩＤラベル（ＲＦＩＤラベル）
１０  ラベル本体
１１  アンテナ
１２  ＩＣチップ
１３  補助移送ローラー
１４  プラテンホルダー
１５  ＲＦＩＤアンテナ
１５Ａ  ＲＦＩＤアンテナ１５の誘電体基盤
１５Ｂ  ＲＦＩＤアンテナ１５のアンテナ金属板
１５Ｃ  ＲＦＩＤアンテナ１５の属製グラウンド板
１６  サーマルヘッド
１７  プラテンローラー
１８  貫通収容孔
１９  アンテナカバー
２０  プラテンホルダー１４の先端ヨーク部
３０  ＲＦＩＤ用紙用プリンター１のアンテナ取付け装置（第１の実施例、図１）
３１  プラテンホルダー
３２  アンテナ収容用溝部
３３  プラテンホルダー３１の左右一対の堤部
４０  ＲＦＩＤ用紙用プリンター１のアンテナ取付け装置（第２の実施例、図３）
４１  プラテンホルダー
４２  アンテナ収容用溝部
４３  プラテンホルダー４１の堤部
【図１】
2007260998.tif 000003
【図２】
2007260998.tif 000004
【図３】
2007260998.tif 000005
【図４】
2007260998.tif 000006
【図５】
2007260998.tif 000007
【図６】
2007260998.tif 000008